(57)【特許請求の範囲】
【請求項１】
モニターを立設支持する支持体と、該支持体を移動せしめると共に接地面に固定する脚体とを備えた移動用モニタースタンドにおいて、
脚体は、支持体の左右で前後に張り出した前脚及び後脚に夫々キャスターを装着して移動自在に設けられた移動脚部と、支持体に沿って昇降自在に装着され、移動脚部が接地する面に圧接せしめる平板状の固定脚部とで構成され、
移動脚部の前脚又は後脚若しくは前脚と後脚との両方を支持体側に折りたたみ自在に設け、該移動脚部に代えて接地面に降ろした固定脚部にて脚体を支持固定すると共に、折りたたみ自在に設けた移動脚部を支持体側に折りたたむように構成したことを特徴とする移動用モニタースタンド。
【請求項２】
前記固定脚部は、該固定脚部を昇降せしめる昇降クランクと、該昇降クランクに連結され昇降クランクの昇降操作をする操作レバーとを備え、該操作レバーの操作で前記固定脚部が降下して接地するように構成した請求項１記載の移動用モニタースタンド。
【請求項３】
前記移動脚部は、前記固定脚部が接地したときに、折りたたみ自在に設けた前記移動脚部が接地面から浮き上がるように構成され、該移動脚部の接地面に下した前記固定脚部にて前記脚体を支持固定するように構成した請求項１又は２記載の移動用モニタースタンド。
【請求項４】
前記固定脚部は、折りたたみ自在に設けた前記移動脚部の下面側に一部が重なるように配置され、該移動脚部が接地しているときに、前記固定脚部と該移動脚部との相互が係止するように構成された固定突起を、前記固定脚部と前記移動脚部とのいずれかに突設した請求項３記載の移動用モニタースタンド。
【請求項５】
前記支持体は、前記モニターを昇降自在に支持するように構成した請求項１記載の移動用モニタースタンド。
【発明の詳細な説明】
【技術分野】
【０００１】
本発明は、フラットパネルディスプレイ等、大型のモニターを自立させて設置すると共に、このモニターを移動して講義等に使用するのに好適な移動用モニタースタンドに関する。
【背景技術】
【０００２】
移動用のモニタースタンドとして特許文献１に記載された昇降スタンドが提案されている。このスタンドは、液晶テレビなどのモニターを昇降自在に支持すると共に、モニターを支持した状態で移動できるように構成されたものである。
【０００３】
この特許文献１によると、モニターを上昇させると重心の位置が高くなり倒れる危険性が高まるので、これを防止するために昇降スタンドの脚部を昇降スタンドの前方に伸ばす必要がある。そこで、この昇降スタンドは、脚部を前後方向に伸縮させる伸縮手段を備え、モニターを上昇させたときに脚部を前方に伸ばし、モニターを下げたときに伸ばした脚部を縮めるように構成したものである。
【先行技術文献】
【特許文献】
【０００４】
【特許文献１】特開２００９‐２１２８４３号公報
【発明の開示】
【発明が解決しようとする課題】
【０００５】
特許文献１のように、脚部を前後方向に伸ばすことで安定性は高まるが、この大きく張り出した脚部自体がモニタースタンドを使用する際の妨げになる不都合が生じている。
【０００６】
すなわち、大型のモニターは、従来の黒板やホワイトボート等の代わりとして講義などに使用する機会が増えている。例えば、移動用のスタンドに大型モニターを装着し、必要な場所に移動して黒板代わりに使用するような場合である。この場合、移動用のスタンドにはキャスターを備えた脚部でモニターを支持できるように構成しているので、モニターの前後には、キャスター付きの脚部が大きく張り出した構造になっている。
【０００７】
そのため、モニターを使用する講義者は、モニター前面に大きく張り出した脚部につまずくおそれがあった。しかも、モニターが大型になったり、モニターを高い位置で支持したりするほど脚部の張出し量が増大するので、モニターを支持しているスタンドそのものが周辺の通行を妨げる不都合もある。
【０００８】
そこで本発明は上述の課題を解消すべく創出されたもので、移動用のモニタースタンドにおいて、移動時には安全な搬送が可能になり、モニター使用時には脚部の張出しによる不都合を解消することができる移動用モニタースタンドの提供を目的とするものである。
【課題を解決するための手段】
【０００９】
本発明の第１の手段は、モニターＰを立設支持する支持体１と、該支持体１を移動せしめると共に接地面に固定する脚体２とを備えた移動用モニタースタンドにおいて、脚体２は、支持体１の左右で前後に張り出した前脚１１及び後脚１２に夫々キャスター３を装着して移動自在に設けられた移動脚部１０と、支持体１に沿って昇降自在に装着され、移動脚部１０が接地する面に圧接せしめる平板状の固定脚部２０とで構成され、移動脚部１０の前脚１１又は後脚１２、若しくは前脚１１と後脚１２との両方を支持体１側に折りたたみ自在に設け、該移動脚部１０に代えて接地面に降ろした固定脚部２０にて脚体２を固定すると共に、折りたたみ自在に設けた移動脚部１０を支持体１側に折りたたむように構成したことにある。
【００１０】
第２の手段において、前記固定脚部２０は、該固定脚部２０を昇降せしめる昇降クランク２１と、該昇降クランク２１に連結され昇降クランクの昇降操作をする操作レバー２２とを備え、該操作レバー２２の操作で前記固定脚部２０が降下して接地するように構成したものである。
【００１１】
第３の手段の前記移動脚部１０は、前記固定脚部２０が接地したときに、折りたたみ自在に設けた前記移動脚部１０が接地面から浮き上がるように構成され、該移動脚部１０の接地面に下した前記固定脚部２０にて前記脚体２を固定するように構成している。
【００１２】
第４の手段において、前記固定脚部２０は、折りたたみ自在に設けた前記移動脚部１０の下面側に一部が重なるように配置され、該移動脚部１０が接地しているときに、前記固定脚部２０と該移動脚部１０との相互が係止するように構成された固定突起２３を、前記固定脚部２０と前記移動脚部１０とのいずれかに突設している。
【００１３】
第５の手段の前記支持体１は、前記モニターＰを昇降自在に支持するように構成したものである。
【発明の効果】
【００１４】
本発明の請求項１の如く、移動脚部１０の前脚１１又は後脚１２、若しくは前脚１１と後脚１２との両方を支持体１側に折りたたみ自在に設け、該移動脚部１０に代えて接地面に降ろした固定脚部２０にて脚体２を固定すると共に、折りたたみ自在に設けた移動脚部１０を支持体１側に折りたたむように構成したことにより、大きく張り出した移動脚部１０につまずくおそれは解消された。
【００１５】
しかも、モニターが大型になったり、高い位置で支えたりするほど移動脚部１０の前後の張出し量が増加しても、この移動脚部１０に代わって接地する固定脚部２０は平板状を成しており、キャスター３を設ける必要もない。この結果、モニターＰを使用する講義者の安全を図ることができ、モニターＰ周辺を移動する際の安全性を高めることも可能になる。
【００１６】
請求項２のように、固定脚部２０を昇降せしめる昇降クランク２１と、該昇降クランク２１に連結され昇降クランクの昇降操作をする操作レバー２２とを備え、該操作レバー２２の操作で固定脚部２０が降下して接地するように構成したことで、移動時の移動脚部１０と固定時の固定脚部２０とを容易に使い分けることができる。
【００１７】
請求項３のごとく、固定脚部２０が接地したときに、折りたたみ自在に設けた移動脚部１０が接地面から浮き上がるように構成され、該移動脚部１０の接地面に下した固定脚部２０にて脚体２を固定するように構成したことで、折りたたみ自在に設けた移動脚部１０は、浮き上がった状態で折りたたむことができるので極めて簡単な操作になる。
【００１８】
請求項４の如く、移動脚部１０が接地しているときに移動脚部１０が折りたたまれないように構成された固定突起２３を設けることで、折り畳み自在に設けた移動脚部１０を、移動時でも安全に使用することができる。
【００１９】
請求項５のように、モニターＰを昇降自在に支持するように構成した支持体１でも、移動脚部１０による脚体２の移動や固定脚部２０による脚体２の固定を確実に行うことができるものである。
【図面の簡単な説明】
【００２０】
【図１】本発明の一実施例を示す固定前の斜視図である。
【図２】固定脚部で固定した状態を示す要部斜視図である。
【図３】移動脚部で移動する状態を示す要部側断面図である。
【図４】固定脚部で固定した状態を示す要部側断面図である。
【図５】移動脚部を支持体側に折りたたむ状態を示す平面図である。
【図６】本発明の昇降クランクと操作レバーを示す正面図である。
【発明を実施するための形態】
【００２１】
本発明は、例えばフラットパネルディスプレイ等、大型のモニターを自立させると共に、このモニターをそのまま搬送することができる移動用モニタースタンドの構成にある。本発明の主要構成は、モニターＰを立設支持する支持体１と、該支持体１を移動せしめると共に接地面に固定する脚体２とを備えている（図１参照）。
【００２２】
支持体１は、下部に脚体２を装着し、上部前面にモニターＰを支持する構成である。モニターＰの支持手段は、モニターＰを直接支持体１に連結する他、別途連結具（図示せず）を介して支持体１にモニターＰを装着する手段などから選択する。図示の支持体１は、脚体２上に２本の支柱１Ａを立設固定したものである（図１参照）。また、図示例では、支持体１の上端部にモニターＰを固定しているが、モニターＰを支持する位置を昇降自在に調整する構造の支持体１を使用することも可能である。
【００２３】
脚体２は、更に、脚体２移動時に使用する移動脚部１０と、脚体２固定時に使用する固定脚部２０とを備えている。移動脚部１０は、杆体状の部位で、下面にキャスター３を装着している（図１参照）。一方、固定脚部２０は、平板状の部位で、任意の接地面に接地して脚体２を固定する（図２参照）。
【００２４】
移動脚部１０は、支持体１の左右に配置する前脚１１と後脚１２とを備えている（図１参照）。これら前脚１１及び後脚１２は、支持体１の前後に張り出している（図３参照）。そして、少なくともこの前脚１１を支持体１側に折りたたみ自在に設けている（図５参照）。また、モニターＰの支持体１に対する設置面の位置の変更や使用環境等に対応するため、後脚１２のみや、前脚１１と後脚１２との両方を支持体１側に折りたたみ自在に設けてもよい（図示せず）。
【００２５】
図示の移動脚部１０は、左右の後脚１２相互を連結体１３にて連結固定している（図５参照）。そして、後脚１２の支持体１側端部に揺動軸１４を介して前脚１１を連結し、前脚１１を支持体１側に向けて略水平に折りたたむように構成している。また、前脚１１を折りたたむ向きを略水平方向から垂直方向に代えることも可能である。この場合、前脚１１は揺動軸１４から上を向いた状態で折りたたまれることになる（図示せず）。
【００２６】
更に、前脚１１の基端部に当接片１１Ａを設け、この当接片１１Ａが後脚１２の端部に当接するように構成している（図２、図４参照）。このような当接片１１Ａにより、前脚１１が反対側に揺動しない構造になっている（図１、図３参照）。
【００２７】
固定脚部２０は、支持体１に沿って昇降自在に装着された平板状を成す部材である（図１参照）。この固定脚部２０を接地する面に圧接すると脚体２が固定される（図２参照）。すなわち、接地面に降ろした固定脚部２０にて移動脚部１０に代えて脚体２を支持するものである。固定脚部２０が脚体２を固定した後は、前脚１１を折りたたんで収納する。更に、折りたたんだ前脚１１は、固定脚部２０上にあるので、この固定脚部２０の上昇を抑えることができる。
【００２８】
図示の固定脚部２０は、接地面に圧着せしめる平板状の接地板２４と、この接地板２４に連結され、支持体１の前面側で昇降自在に支持される側面逆Ｌ字形状の支持体２５とを備えている（図４参照）。そして、この支持体２５を上下移動させることで、接地面に接地板２４が圧着し、あるいは接地面から離れるように構成している（図３参照）。また、接地板２４と支持体２５との連結強度を高めるために、側面略Ｌ自形状の補強板２７を設けている。
【００２９】
このとき、固定脚部２０に、昇降クランク２１と操作レバー２２とを備えることで、固定脚部２０が接地したときに、脚部１０の前脚１１が接地面から浮き上がるように構成している（図６参照）。すなわち、昇降クランク２１は、固定脚部２０を昇降せしめる機構で、この昇降クランク２１に連結された操作レバー２２を操作することで、固定脚部２０が降下して接地するように構成している（図１参照）。
【００３０】
図示例の昇降クランク２１は、支柱１Ａの相互間に装着した固定板体３０の前面と支持体２５とに装着してあり、操作レバー２２を回転操作することで、支持体２５が昇降するものである（図６参照）。そして、この昇降クランク２１による鉛直下方に向けた押圧力で、接地板２４が接地面に圧着すると共に、前脚１１が接地面から僅かに浮き上がる構成である。この接地板２４が前脚１１に代わって移動脚部１０を固定する（図２参照）。
【００３１】
一方、接地板２４による固定状態からモニターＰを移動するには、折り畳んだ前脚１１を基の位置に戻した後で、接地板２４を上昇させることで、移動脚部１０が接地する（図１参照）。そして、移動脚部１０のキャスター３によりモニターＰを移動する。この際、支持体２５と連結体１３との間に引っ張りコイルバネ２６を装着し、接地板２４の上昇力を付与している（図６参照）。このため、操作レバー２２により昇降クランク２１の鉛直下方に向けた押圧力を解除するだけで自動的に接地板２４が上昇する（図３参照）。
【００３２】
折りたたみ自在に設けた前脚１１を使用して移動する際に、この前脚１１が不用意に折り畳まれないようにするため、固定突起２３を設けている（図２参照）。この固定突起２３は、使用状態の前脚１１の下面と、この下面に重なった固定脚部２０の上面とを係止する部材である。図示例では、接地板２４の上面に固定突起２３を立設し、この固定突起２３が前脚１１の下面の凹部に係止することで、前脚１１の不用意な折りたたみを防止する構成である（図３参照）。また、この固定突起２３は、前脚１１の下面に突設し、この固定突起２３が係止する突起や凹部を接地板２４の上面側に設けることも可能である。
【００３３】
尚、図示例の各構成は、本発明の一実施例に過ぎず、本発明にて支持するモニターＰの用途等も限定されるものではなく、また、本発明の移動脚部１０や固定脚部２０等の各構成は本発明の要旨を変更しない範囲において自由に変更することができる。
【符号の説明】
【００３４】
Ｐ  モニター
１  支持体
１Ａ  支柱
２  脚体
３  キャスター
１０  移動脚部
１１  前脚
１１Ａ  当接片
１２  後脚
１３  連結体
２０  固定脚部
２１  昇降クランク
２２  操作レバー
２３  固定突起
２４  接地板
２５  支持体
２６  引っ張りコイルバネ
２７  補強板
【図１】
0006391551.tif 000002
【図２】
0006391551.tif 000003
【図３】
0006391551.tif 000004
【図４】
0006391551.tif 000005
【図５】
0006391551.tif 000006
【図６】
0006391551.tif 000007